(57)【要約】【課題】  従来、偽造対象となる原稿を増やすと、非常に大量の記憶領域を必要とするので、ある程度特定の原稿（例えば紙幣や有価証券等）だけしか偽造防止の対象とできなかった。【解決手段】  特定のロゴや、著作権等のマーク、特殊なフォントパターン、印章等のイメージを予めマルチファンクション装置に登録しておく事により、それらのイメージが含まれた書類、書籍や雑誌、新聞記事等を、特定のユーザのみ高品位な状態でコピー/プリントできなくする。【選択図】  図３
2006173746.tif 000002
【特許請求の範囲】
【請求項１】
特定のイメージデータをマルチファンクション装置に登録する手段、該登録したイメージデータを記憶する記憶手段、該マルチファンクション装置を使用するユーザを識別するユーザ識別手段、原稿をスキャナで読み取った画像データや印刷データ内に、該マルチファンクション装置に予め登録/記憶されているイメージデータと同じイメージがあるか判断する判断手段を持ち、画像データをプリントする場合には、マルチファンクション装置を使用するユーザの管理レベルと該登録済みイメージデータに設定された管理レベルを比較し、その結果に従いプリント結果の一部又はプリント結果全体が明らかにプリントされた物であることが分かる様にすることを特徴とするマルチファンクション装置。
【請求項２】
請求項１において、プリント結果の一部またはプリント結果全体の解像度を変更してプリントすることにより、明らかにマルチファンクション装置を使ってプリントされた物であることが分かる様にすることを特徴とするマルチファンクション装置。
【請求項３】
請求項１において、プリント結果の一部またはプリント結果全体の色再現性を変更してプリントすることにより、明らかにマルチファンクション装置を使ってプリントされた物であることが分かる様にすることを特徴とするマルチファンクション装置。
【請求項４】
請求項１において、プリント結果の一部またはプリント結果全体のスムージング処理を変更してプリントすることにより、明らかにマルチファンクション装置を使ってプリントされた物であることが分かる様にすることを特徴とするマルチファンクション装置。
【請求項５】
請求項１において、プリント結果の一部またはプリント結果全体に別の画像を追加して印刷処理することにより、明らかにマルチファンクション装置を使ってプリントされた物であることが分かる様にすることを特徴とするマルチファンクション装置。
【請求項６】
請求項１において、マルチファンクション装置を使用するユーザの管理レベルと該登録済みイメージデータに設定された管理レベルを比較し、その結果に従いプリント結果の一部またはプリント結果全体をプリントしない様に処理することを特徴とするマルチファンクション装置。
【請求項７】
請求項１において、マルチファンクション装置を使用するユーザの管理レベルと該登録済みイメージデータに設定された管理レベルを比較し、その結果に従いプリント動作そのものを実行しない事を特徴とするマルチファンクション装置。
【請求項８】
請求項１〜７において、マルチファンクション装置に登録する特定のイメージデータは各種印章を表すデータであることを特徴とするマルチファンクション装置。
【請求項９】
請求項１〜７において、マルチファンクション装置に登録する特定のイメージデータは著作権を示す各種マークであることを特徴とするマルチファンクション装置。
【請求項１０】
請求項１〜７において、マルチファンクション装置に登録する特定のイメージデータは企業ロゴ等のトレードマークであることを特徴とするマルチファンクション装置。
【請求項１１】
請求項１〜７において、マルチファンクション装置に登録する特定のイメージデータはある特定のフォントデータであることを特徴とするマルチファンクション装置。
【請求項１２】
請求項１〜１１において、マルチファンクション装置に予め登録しておく特定のイメージデータは、マルチファンクション装置の外部から、各種インターフェイスを経由して入力することが可能である事を特徴とするマルチファンクション装置。
【請求項１３】
請求項１２において、各種インターフェイスを経由して入力し登録しておく特定のイメージデータは暗号化された状態でマルチファンクション装置に転送する事を特徴とするマルチファンクション装置。
【発明の詳細な説明】
【技術分野】
【０００１】
本発明は印章や著作権を示すマークが入っている原稿/書類をコピー/プリントする場合に、特定の権限を与えられたユーザのみその処理を実行出来るようにするなどして、重要な原稿、書類、書籍等の偽造防止に関するものである。
【背景技術】
【０００２】
従来、マルチファンクション装置を使ったコピーやプリントにおける偽造防止は偽造されたくない原稿全体の画像データを装置に記憶しておいて、その画像データとコピー及びプリントする画像データを比較して、偽造防止を実行するものであった（例えば特許文献１を参照）。
【特許文献１】特開平10-154257号公報
【発明の開示】
【発明が解決しようとする課題】
【０００３】
解像度や色再現性が高性能なコピーやプリンタでは原稿とコピーの差異が少なく造行為が簡単に出来てしまうという課題が以前からあった。この場合、例えば、書籍や雑誌、新聞記事等、著作権のある原稿や印章の入った書類などが偽造の対象となり得る。しかし、高性能なコピーやプリンタを使った作業を実際に行う人が全て信用できるとは限らないし、高品位の複製を作られたくない原稿のコピーを仕方なく誰かに依頼しなければならない場合もあるが、コピーやプリントを依頼した人が信用できるとは限らないし、直接依頼した人がコピーやプリントをしてくれるかも分からない。
【０００４】
また、上記従来技術では、偽造対象となる原稿を増やすと、非常に大量の記憶領域を必要とするので、ある程度特定の原稿（例えば紙幣や有価証券等）だけしか偽造防止の対象とできなかった。
【課題を解決するための手段】
【０００５】
高品位のコピーやプリントによって偽造されては困る原稿や書籍内に必ず入っているはずのイメージ。例えば会社のロゴ、著作権等のマーク（例えば"C"、"R"、"TM"等）、特定のフォント、印章等のイメージデータを、予めマルチファンクション装置に読み込んで（又はPC等から転送して）登録し記憶する手段。さらに該登録したイメージにそれを使用可能な対象者や管理レベルも設定する。
【０００６】
マルチファンクション装置を使用する時、それを使用するユーザを識別する手段。例えばマルチファンクション装置を使用するユーザのユーザのID（人名コード等）や管理レベルをICカード等から入力してからコピー又はプリントを実行する様にしておく。
【０００７】
コピーしたい原稿をスキャンしてイメージ化した時、またはマルチファンクション装置に転送した印刷データから最終的に出力するイメージに展開した時、出力しようとするイメージの中に、前記予め登録したイメージがあるかを判断する手段。
【０００８】
該予め登録されているイメージがある場合は、次に使用しているユーザ（コピー又はプリントしているユーザ）のIDや管理レベルを確認し、マルチファンクション装置を使用しているユーザのIDや管理レベルが、該予め登録されているイメージに設定されている対象者と一致しなかったり、設定管理レベルより低い（許可されていない）場合は、最終的なプリントアウトを実行しない。または、プリントアウトを実行するが、より低い印刷品位とする等、明らかにプリントした物であることが分かる様にする手段を設ける。
【発明の効果】
【０００９】
特定のロゴや、著作権等のマーク、特殊なフォントパターン、印章等のイメージを予めマルチファンクション装置に登録しておく事により、それらのイメージが含まれた、書類、書籍や雑誌、新聞記事等を、特定のユーザのみ高品位な状態でコピー/プリントできなくなるので、偽造の防止や、著作権が保護されるなどの効果がある。
【発明を実施するための最良の形態】
【００１０】
以下、図等を参照して第１の実施例を説明する。
【実施例１】
【００１１】
図１は、本発明が採用されたマルチファンクション装置１００の全体構成構成を示している。
【００１２】
１０１はＵＳＢやイーサーネット等各種インターフェイスとの間でデータの送受信を行う送受信手段（イーサーネット等各種インターフェイスは図示していない）。１０２は後述するＣＰＵやＲＡＭ、ＲＯＭ等マルチファンクション装置１００の各種構成要素同士を接続するシステムバス。１０３はマルチファンクション装置１００の動作を制御するＣＰＵ。１０４はマルチファンクション装置１００が実行する処理において一時的にデータ等を記憶しておく為のＲＡＭ。１０５はマルチファンクション装置１００に必要なプログラム（＝ファームウェア）や各種データを保存しておくＲＯＭ（又はフラッシュＲＯＭ）等の不揮発性記憶手段。１０６は送受信手段１０１から受け取った印刷データや、画像を読み込むことができるスキャナ１０８から読み取った画像データを、プリントエンジン１０７で印刷可能な形式のデータに変換する画像変換手段。１０９はハードディスク等の不揮発性記憶手段、ここにマルチファンクション装置のプログラムを格納しておき、ＲＡＭ１０４等に転送してから実行する事も可能である。１１０はマルチファンクション装置１００を使ってコピーや印刷を実行するユーザの管理レベルやＩＤが記憶されているＩＣカード等のカードを読み取るカードリーダ。ここではカードリーダとしているが、ＩＣカード以外にもメモリモジュールやＣＤ、ＤＶＤ等その他の記憶素子やメディアにユーザの管理レベルやＩＤ等の情報を記憶しておき、それを利用する（メモリモジュール読み取り装置やメディア読み取り装置を使う）ことも可能であり、本発明の効果に変わりは無い。１１１はマルチファンクション装置１００を使用するユーザに対して各種情報（マルチファンクション装置の内部情報等）を表示するディスプレイや、ユーザが設定する設定値を入力するボタンやキーボード等を備えた操作パネルである。
【００１３】
次に図２〜図４のフローチャート及び図５を用いて本発明の第１の実施例の動作を説明する。
【００１４】
まず始めに、偽造防止に利用するイメージデータをマルチファンクション装置１００のＲＯＭ１０５又はハードディスク１０９等の不揮発性記憶手段に記憶させておく必要がある。その為、送受信手段１０１、カードリーダ１１０、スキャナ１０８等イメージデータを入力可能な手段を経由して上記不揮発性記憶手段に記憶（登録）する（Ｓ２０１）。さらに登録したイメージデータには、イメージの管理者、管理レベル、偽造防止の為の画像処理方法を設定しておく（Ｓ２０２）。イメージデータとそれに付随する情報を入力したら、さらに別のイメージを登録するか確認し（Ｓ２０３）、必要に応じて複数のイメージデータを記憶させる。尚上記特定のイメージデータをマルチファンクション装置１００に記憶する時には、パスワードやICカードから読み出すユーザIDの確認を行う事は言うまでもない。
【００１５】
Ｓ２０２において登録したイメージデータとそれに付随する情報の関係を表すテーブルを図５に示す。このテーブルは例えばイメージデータ名「印章１」は、管理者＝Admin、管理レベル＝１、偽造防止の為の画像処理方法＝出力禁止となっている。同様にイメージデータ名「社名ロゴ２」は、管理者＝user１、管理レベル＝５、偽造防止の為の画像処理方法＝解像度低下、と設定されていることを示している。尚管理レベルは１が高く数字が大きいほど低いものとする。
【００１６】
次に実際にコピー又は印刷を実行する場合の動作について説明する。
【００１７】
マルチファンクション装置１００はＳ２０４でユーザがコピーや印刷を実行するまで待機している。ユーザがコピーや印刷を実行するべくマルチファンクション装置１００に指示を与えるとＳ２０５に進み、マルチファンクション装置を操作しているユーザのＩＤやそのＩＤに付随する管理レベルがマルチファンクション装置に入力されるのを待つ。これらのＩＤや管理レベルの情報は主にカードリーダ１１０や図示しない指紋入力装置等から入力されるが、別の方法、例えば操作パネル１１１から、特定のパスワードと共に入力してもよい。ユーザＩＤ等の情報が入力されるとコピーや印刷を開始する（Ｓ２０６）。コピーならばスキャナ１０８にセットされている原稿を読み取り。印刷ならば送受信手段１０１からの入力される情報に従って、最終的に画像変換手段１０６を経由してプリンタエンジン１０７で出力（印刷）する為の印刷データ（画像イメージ）を作成する。
Ｓ２０６で画像イメージの作成が終了すると、Ｓ２０７に進み、Ｓ２０６で作成した画像イメージとＳ２０１で登録したイメージデータ（登録された全てのイメージデータ）を比較する。比較の結果Ｓ２０６で作成した画像イメージの一部又は全体がＳ２０１で登録したイメージデータと一致する（もしくはある程度の比率で一致する）と判断した場合はＳ２０８へ進むが、一致する部分がないと判断した場合はＳ２１２に進み印刷を実行する。次にＳ２０８ではＳ２０５で入力されたユーザＩＤに付随する管理レベル情報と図５のテーブルにある登録したイメージデータの管理レベルを比較して、図５のテーブルの管理レベルよりＳ２０５で入力されたユーザＩＤに付随する管理レベルの方が低い場合（例えばコピーする原稿（＝Ｓ２０６で作成した画像イメージ）には「印章１」のイメージが含まれていて、かつコピーを実行したユーザのユーザＩＤに付随する管理レベルが２であった場合、「印章１」の管理レベルは１なので、ユーザＩＤに付随する管理レベルの方が低い、となる）、図５のテーブルに登録されている画像処理方法に従った処理を行う（Ｓ２０９又はＳ２１０）。
【００１８】
上記の例（「印章１」）では「出力禁止」となっているので、Ｓ２０９でＹＥＳと判断し（３）を経由してＳ２１３に進み、操作パネル１１１にコピー（印刷）が出来ない旨のメッセージを表示し、コピー（印刷）を中止する。
【００１９】
例えば「印章２」がコピーする原稿（＝Ｓ２０６で作成した画像イメージ）に含まれていて、且つコピーを実行したユーザのユーザＩＤに付随する管理レベルが３であった場合は上記と同様にユーザＩＤに付随する管理レベルの方が低いが、図５のテーブルに登録されている「印章２」の場合の画像処理方法は「解像度低下」なので、Ｓ２１０に進み画像イメージ（Ｓ２０６で作成した画像イメージ）の解像度を低下させる処理を行う（＝印刷品位を低くする）。さらにＳ２１１に進み、操作パネル１１１にコピー（印刷）の品位を落として出力される旨のメッセージを表示し。Ｓ２１２で実際の印刷処理を実行する（プリントエンジン１０７にデータを転送し印刷する）。
【００２０】
尚、Ｓ２０８におけるユーザのユーザＩＤに付随する管理レベルと図５のテーブルにある登録したイメージデータの管理レベルを比較した結果、図５のテーブルの管理レベルよりＳ２０５で入力されたユーザＩＤに付随する管理レベルの方が高い場合（例えばユーザＩＤに付随する管理レベルが１の場合）はＳ２０８からＳ２１２に進み印刷処理を継続する。
【実施例２】
【００２１】
前記第１の実施例ではＳ２０７でイメージの比較を実行する際にＣＰＵ１０３を使ってソフトウェアによって比較を行っているが、ソフトウェアを使わないで図示しない専用のイメージ比較用ハードウェアを利用しても発明の効果に変わりはない。
【実施例３】
【００２２】
前記第１の実施例では、マルチファンクション装置１００を使用するユーザの持つＩＤやそれに付随する管理レベルを、コピーや印刷処理を開始する前（Ｓ２０５）に入力させて記憶しておいたが、ユーザのＩＤやそれに付随する管理レベルを、印刷を行う直前（Ｓ２０８の直前）でユーザに入力させて、それから図５のテーブルにある登録したイメージデータの管理レベルとの比較を行っても本発明の効果に変わりはない。
【図面の簡単な説明】
【００２３】
【図１】本発明を採用したマルチファンクション装置のコントローラ等の概略を示すブロック図。
【図２】本発明の第１の実施例の動きを示すフローチャート１。
【図３】本発明の第１の実施例の動きを示すフローチャート２。
【図４】本発明の第１の実施例の動きを示すフローチャート３。
【図５】マルチファンクション装置に登録しておくイメージデータの持つ情報テーブル（のイメージ）。
【符号の説明】
【００２４】
１００  マルチファンクション装置
１０１  各種インターフェイスとの送受信を行う送受信手段
１０２  ＣＰＵと各種構成要素を接続するシステムバス
１０３  ＣＰＵ
１０４  ＲＡＭ
１０５  フラッシュＲＯＭ等の不揮発性記憶手段
１０６  プリントエンジン対して画像を変換して出力する画像変換手段
１０７  印刷を行うプリントエンジン
１０８  画像イメージを読み込むスキャナ
１０９  ＨＤＤ等の不揮発性記憶手段
１１０  ＩＣカード等からデータを読み出すカードリーダー
１１１  ユーザが装置の状態を確認する為の表示器やユーザが操作可能なボタンを搭載した操作パネル
【図１】
2006173746.tif 000003
【図２】
2006173746.tif 000004
【図３】
2006173746.tif 000005
【図４】
2006173746.tif 000006
【図５】
2006173746.tif 000007